(57)【要約】  スループット算出部２０１は、伝送レートの変化の情報を受け付け、当該情報と、各トラフィックの優先度及び帯域指標を含むトラフィックテーブル２０４と、に基づき、各トラフィックのエンドツーエンドの予想スループットを算出する。調整部２０２は、予想スループットを基に帯域設定を行った場合の各トラフィックの不足帯域及び／又は各通信機器間を接続する無線リンクの空き帯域を算出する。調整部２０２は、不足帯域及び／又は空き帯域と、トラフィックテーブル２０４と、に基づいて各トラフィックに対する帯域分配を決定する。帯域設定送信部２０３は、調整部２０２が決定した帯域分配を通信装置に送信する。
2014068812.tif 000002
【特許請求の範囲】
【請求項１】
適応変調機能を有する通信装置間における各トラフィックの帯域を制御する制御装置であって、
伝送レートの変化の情報を受け付け、当該情報と、各トラフィックの優先度及び帯域指標を含むテーブルと、に基づき、各トラフィックのエンドツーエンドの予想スループットを算出するスループット算出手段と、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する調整手段と、
前記調整手段が決定した帯域分配を前記通信装置に送信する設定送信手段と、
を有する制御装置。
【請求項２】
前記テーブルは、各トラフィックの要求帯域と最低帯域に関するパラメータを保持し、
前記調整手段は、各通信装置間の無線リンクの伝送レートから各トラフィックの前記予想スループットを減算した値を前記空き帯域とし、前記要求帯域に満たないトラフィックに対して前記空き帯域を割り当てることにより帯域調整を行う、請求項１に記載の制御装置。
【請求項３】
前記テーブルは、各トラフィックの要求帯域と最低帯域に関するパラメータを保持し、
前記調整手段は、前記最低帯域に満たないトラフックに対して前記最低帯域を満たすトラフィックの帯域を融通することにより帯域調整を行う、請求項１または請求項２に記載の制御装置。
【請求項４】
前記調整手段は、前記優先度の低いトラフィックから順に帯域の融通元とすることを特徴とする請求項３に記載の制御装置。
【請求項５】
前記制御装置は、前記通信装置としても動作することを特徴とする、請求項１乃至請求項４のいずれか１項に記載の制御装置。
【請求項６】
適応変調機能を有する複数の通信装置と、前記複数の通信装置間における各トラフィックの帯域を制御する制御装置と、を備え、
前記複数の通信装置の各々は、前記適応変調機能を実行し、伝送レートの変化を前記制御装置に送信し、
前記制御装置は、
伝送レートの変化の情報を受け付け、当該情報と、各トラフィックの優先度及び帯域指標を含むテーブルと、に基づき、各トラフィックのエンドツーエンドの予想スループットを算出するスループット算出手段と、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する調整手段と、
前記調整部が決定した帯域分配を前記複数の通信装置に送信する設定送信手段と、を備える、通信システム。
【請求項７】
適応変調機能を有する通信装置間における各トラフィックの帯域を設定する通信制御方法であって、
伝送レートの変化の情報を受け付け、当該情報と、各トラフィックの優先度及び帯域指標を含むテーブルと、に基づき、各トラフィックのエンドツーエンドの予想スループットを算出するスループット算出し、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する、通信制御方法。
【請求項８】
コンピュータに適応変調機能を有する通信装置間における各トラフィックの帯域を算出させるプログラムが格納された非一時的なコンピュータ可読媒体であって、
コンピュータに、
伝送レートの変化の情報を受け付け、当該情報と、各トラフィックの優先度及び帯域指標を含むテーブルと、に基づき、各トラフィックのエンドツーエンドの予想スループットを算出するスループット算出ステップと、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する調整ステップと、
を実行させるプログラムが格納された非一時的なコンピュータ可読媒体。
【発明の詳細な説明】
【技術分野】
【０００１】
本発明は制御装置、通信システム、通信制御方法、及びプログラムが格納された非一時的なコンピュータ可読媒体に関する。
【背景技術】
【０００２】
近年の情報化の進展に伴い、データ通信トラフィックの需要が増加している。これに応じて、ネットワークに対する広帯域化やオペレーションコストの削減が求められてきている。【０００３】
ミリ波帯等の周波数を利用した無線方式では、広帯域の伝送を行うことができる。これらの無線方式を用いる固定無線アクセス（ＦＷＡ：Fixed broadband Wireless Access）等の無線リンクによって構築されたネットワークは、携帯電話網等で利用されている。【０００４】
無線リンクの通信品質は、受信信号のＳＮＲ（Signal to Noise Ratio）によって変動する。そこで無線リンクの更なる広帯域化を実現するために、適応変調技術が注目されている。適応変調技術とは、無線リンクの無線状況から最も伝送効率の良い変調方式を適応的に発見して使用する技術である。適応変調技術を用いることにより、無線環境に応じた最適な無線通信を行うことができる。無線環境に応じた最適な無線通信を行うことにより、周波数効率の向上が期待できる。
【先行技術文献】
【特許文献】
【０００５】
【特許文献１】特開２０１２−６５１３５号公報
【発明の概要】
【発明が解決しようとする課題】
【０００６】
適応変調機能を持つ無線リンクでは、天候等の外部要因によって伝送レートが変化する。無線リンクにおいて伝送レートが低下した際に帯域制御を行わない場合、ボトルネックとなる無線リンクにおいて失われるトラフィックにより消費される帯域が無駄になってしまう。【０００７】
特許文献１には、ネットワークを流れるトラフィック量を監視し、始点ノードと終点ノードでのトラフィック量の差分を測定することによりネットワーク内で無駄に使用されているトラフィックを見つけ出すトンランスポート制御システムが開示されている。しかしながら、この技術では常にトラフィック量を監視する必要があるとともに、ボトルネックとなる無線リンクの特定に時間がかかってしまう。【０００８】
すなわち、上述の技術では無線リンクの伝送レートが変化した場合、効率的に帯域制御を行うことができないという問題があった。【０００９】
本発明は上述の課題を鑑みてなされたものであり、無線リンクの伝送レートが変化した場合、効率的に帯域制御を行う制御装置、通信システム、通信制御方法、及びプログラムが格納された非一時的なコンピュータ可読媒体を提供することを主たる目的とする。
【課題を解決するための手段】
【００１０】
本発明にかかる制御装置の一態様は、
適応変調機能を有する通信装置間における各トラフィックの帯域を制御する制御装置であって、
伝送レートの変化の情報を受け付け、当該情報と、各トラフィックの優先度及び帯域指標を含むテーブルと、に基づき、各トラフィックのエンドツーエンドの予想スループットを算出するスループット算出手段と、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する調整手段と、
前記調整手段が決定した帯域分配を前記通信装置に送信する設定送信手段と、
を有するものである。【００１１】
本発明にかかる通信システムの一態様は、
適応変調機能を有する複数の通信装置と、前記複数の通信装置間における各トラフィックの帯域を制御する制御装置と、を備え、
前記複数の通信装置の各々は、前記適応変調機能を実行し、伝送レートの変化を前記制御装置に送信し、
前記制御装置は、
伝送レートの変化の情報を受け付け、当該情報と、各トラフィックの優先度及び帯域指標を含むテーブルと、に基づき、各トラフィックのエンドツーエンドの予想スループットを算出するスループット算出手段と、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する調整手段と、
前記調整部が決定した帯域分配を前記複数の通信装置に送信する設定送信手段と、を備える、ものである。【００１２】
本発明にかかる通信制御方法の一態様は、
適応変調機能を有する通信装置間における各トラフィックの帯域を設定する通信制御方法であって、
適応変調機能を有する通信装置間における各トラフィックの帯域を設定する通信制御方法であって、
伝送レートの変化の情報を受け付け、当該情報と、各トラフィックの優先度及び帯域指標を含むテーブルと、に基づき、各トラフィックのエンドツーエンドの予想スループットを算出するスループット算出し、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する、ものである。【００１３】
本発明にかかるプログラムが格納された非一時的なコンピュータ可読媒体の一態様は、
コンピュータに適応変調機能を有する通信装置間における各トラフィックの帯域を算出させるプログラムが格納された非一時的なコンピュータ可読媒体であって、
コンピュータに、
伝送レートの変化の情報を受け付け、当該情報と、各トラフィックの優先度及び帯域指標を含むテーブルと、に基づき、各トラフィックのエンドツーエンドの予想スループットを算出するスループット算出ステップと、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する調整ステップと、
を実行させるものである。
【発明の効果】
【００１４】
本発明では、無線リンクの伝送レートが変化した場合、効率的に帯域制御を行う制御装置、通信システム、通信制御方法、及びプログラムが格納された非一時的なコンピュータ可読媒体を提供することができる。
【図面の簡単な説明】
【００１５】
【図１】実施の形態１にかかる無線システムの構成を示すブロック図である。
【図２】実施の形態１にかかる無線リンクの変調方式と伝送レートとの関係を示す図である。
【図３】実施の形態１にかかる無線システムにおいて扱われるトラフィックの例を示す図である。
【図４】実施の形態１にかかる経路制御装置１０１の構成を示すブロック図である。
【図５】実施の形態１にかかる経路制御装置１０１の処理の流れを示すフローチャートである。
【図６Ａ】実施の形態１にかかる通信状態を示す概念図である。
【図６Ｂ】実施の形態１にかかる各トラフィックの帯域を示す図である。
【図７Ａ】実施の形態１にかかる通信状態を示す概念図である。
【図７Ｂ】実施の形態１にかかる各トラフィックの帯域を示す図である。
【図８Ａ】実施の形態１にかかる通信状態を示す概念図である。
【図８Ｂ】実施の形態１にかかる各トラフィックの帯域を示す図である。
【発明を実施するための形態】
【００１６】
＜実施の形態１＞
以下、図面を参照して本発明の実施の形態について説明する。はじめに、図１を参照して本実施の形態にかかる無線システムについて説明する。
【００１７】
図示するように、本実施の形態にかかる無線システムは、経路制御装置１０１、及び通信装置１０２〜１０６を有する。なお、これらの装置の数は、あくまで例示であり、実際には任意の数でよい。各装置間は、無線リンクにより接続されている。
【００１８】
経路制御装置１０１は、各通信装置から伝送レートの変化の通知を受け付ける。経路制御装置１０１は、受信した伝送レートの変化に応じて、各トラフィックに対する帯域制御の設定を算出して各通信装置に通知する。経路制御装置１０１の詳細および動作については図４等を参照して後述する。
【００１９】
通信装置１０２〜１０６は、既知の適応変調機能を有し、無線リンクの伝送レートが変化した場合には経路制御装置１０１に通知を行う。さらに、通信装置１０２〜１０６は、経路制御装置１０１から各トラフィックに対する帯域制御の設定を受信し、設定に基づいた帯域制御を行う。
【００２０】
ここで、当該無線システムにおける無線リンクの変調方式と伝送レートとの関係を図２に示す。たとえば変調方式がＱＰＳＫ（Quadrature Phase Shift Keying）である場合、４０Ｍｂｐｓの帯域が確保される。同様に、変調方式が１６ＱＡＭ（Quadrature Amplitude Modulation）である場合、８０Ｍｂｐｓの帯域が確保される。通信装置１０２〜１０６は、適応変調機能を実行し、天候等に合わせて変調方式（すなわち伝送レート）を変更する。
【００２１】
次に、図１に示す無線システムにおいて扱われるトラフィックの例を図３に示す。本実施の形態では、４種類のトラフィック（Ｓｉｇｎａｌｉｎｇ，Ｖｏｉｃｅ，Ｖｉｄｅｏ，Ｄａｔａ）を用いる。当該各トラフィックは、優先度、要求帯域、最低帯域を持つ。たとえばＶｏｉｃｅタイプのトラフィックの場合、優先度が２であり（Ｓｉｇｎａｌｉｎｇの次に高い）、要求帯域及び最低帯域はいずれも２０Ｍｂｐｓである。経路制御装置１０１は、このトラフィックテーブル（図３）を内部の記憶メモリにおいて管理する。
【００２２】
次に図４を参照して、経路制御装置１０１の具体的な構成を説明する。図４は、経路制御装置１０１の構成を示すブロック図である。経路制御装置１０１は、スループット算出部２０１と、調整部２０２と、帯域設定送信部２０３と、トラフィックテーブル２０４と、を備える。
【００２３】
スループット算出部２０１は、各通信装置から無線リンクの伝送レートの変化を受信する。スループット算出部２０１は、当該伝送レートの変化の影響を受けるトラフィックのエンドツーエンドの予想スループットを算出する。スループット算出部２０１は、上述のトラフィックテーブル２０４（図３）を参照し、優先度が高いトラフィックから順に帯域を割り当てることにより予想スループットを算出する。具体的な予想スループットの算出方法は、図６〜図８を参照して説明する。
【００２４】
トラフィックテーブル２０４は、各トラフィックの優先度及び帯域指標（図３の例では要求帯域及び最低帯域）を保持する。なお、経路制御装置１０１は、必ずしもトラフィックテーブル２０４を内部に有する必要はない。たとえばトラフィックテーブル２０４は、経路制御装置１０１に着脱可能な記憶装置（ＵＳＢ（Universal Serial Bus）メモリ等）内に格納されていてもよい。
【００２５】
スループット算出部２０１は、算出した各トラフィックの予想スループットを調整部２０２に入力する。調整部２０２は、入力された予想スループットを基に帯域制御を行った場合のトラフィック量を算出し、各無線リンクに空き帯域が発生するかを判定する。そして、調整部２０２は、空き帯域を優先度の高いトラフィックから順に割り当てることによって帯域の改善ができるか否かを判定する。
【００２６】
さらに調整部２０２は、予想スループットにおいて、最低帯域を満たさないトラフィックが存在するかを判定する。最低帯域を満たさないトラフィックが存在する場合、調整部２０２は、他のトラフィックから当該トラフィックに対して帯域の融通が可能であるかを判定する。これにより、調整部２０２は、空き帯域の割り当て及び帯域融通の調整後の最終的な帯域設定を決定する。
【００２７】
帯域設定送信部２０３は、調整部２０２が決定した帯域設定を各通信装置に送信する。
【００２８】
次に図５を参照して、経路制御装置１０１の動作について改めて説明する。図５は、経路制御装置１０１の処理を示すフローチャートである。
【００２９】
スループット算出部２０１は、伝送レートの変化を各通信装置から受信する。スループット算出部２０１は、伝送レートの変化に応じて、各トラフィックのエンドツーエンドのスループット（予想スループット）を算出する（Ｓ２０１）。
【００３０】
調整部２０２は、予想スループットを基に帯域制御を行った場合のトラフィック量を算出し、各無線リンクに空き帯域が発生するかを判定する（Ｓ２０２）。そして、調整部２０２は、空き帯域が生じている場合、要求帯域を満たしていないトラフィックに空き帯域を割り当てることにより帯域状態が向上するかを判定する（Ｓ２０３）。向上する場合、調整部２０２は、要求帯域を満たしていないトラフィックに空き帯域の帯域を割り当てる。
【００３１】
調整部２０２は、伝送レートの変化に応じて最低帯域を満たさないトラフィックが発生したか否かを判定する（Ｓ２０４）。最低帯域を満たさないトラフィックがある場合、調整部２０２は、他のトラフィックの帯域を、当該最低帯域を満たさないトラフィックに融通することにより、最低帯域を満たすようになるかを判定する（Ｓ２０４）。最低帯域を満たすようになる場合、調整部２０２は、融通後の各トラフィック（最低帯域を満たさないトラフィック、融通基となるトラフィック）の帯域値を決定する（Ｓ２０４）。調整部２０２は、Ｓ２０２〜Ｓ２０４の処理により、各トラフィックの帯域配分を決定する。
【００３２】
帯域設定送信部２０３は、調整部２０２が決定した帯域配分の設定を設定変更に関わる各通信装置に送信する。設定変更の通知を受けた通信装置は、その設定内容に応じて無線リンクの設定を変更する（Ｓ２０５）。
【００３３】
続いて、図６〜図８を参照して、経路制御装置１０１による帯域制御の具体例を説明する。図６Ａは、本具体例に用いる通信状態を示すシステム概念図である。本例では、通信端末１０２〜通信端末１０５の間において４種類のトラフィック経路が設定されており、通信端末１０２〜通信端末１０６の間においても４種類のトラフィック経路が設定されている。
【００３４】
図６Ｂは、図６Ａに示す通信経路において全ての無線リンクの変調方式として２５６ＱＡＭ（１８０Ｍｂｐｓ）が選択されている場合の各トラフィックの帯域を示している。経路制御装置１０１は、トラフィックテーブル２０４（図３）を参照し、１８０Ｍｂｐｓの帯域を各トラフィックに対して割り当てている。１８０Ｍｂｐｓの帯域を割り当てる場合、全てのトラフィックに対して要求帯域を割り当てることができる。
【００３５】
続いて、通信装置１０３と通信装置１０４の間、通信装置１０４と通信装置１０５の間の無線リンクにおいてリンク劣化が生じ、変調方式が３２ＱＡＭ（１０８Ｍｂｐｓ）となった場合について検討する。図７Ａは、当該リンク劣化後の通信状態を示すシステム概念図である。図７Ｂは、当該リンク劣化が生じた場合の各トラフィックの帯域設定を示す図である。経路制御装置１０１は、変調方式の変更を受信する。
【００３６】
経路制御装置１０１は、トラフィックテーブル２０４（図３）の優先度に応じて、各トラフィックのスループットを算出する（２０１）。優先度が１〜３のトラフィック（Ｓｉｇｎａｌｉｎｇ（Ａ１、Ｂ１），Ｖｏｉｃｅ（Ａ２、Ｂ２），Ｖｉｄｅｏ（Ａ３、Ｂ３））については、通信制御装置１０２〜１０５間及び１０２〜１０６間において要求帯域を満たすことができる。しかし、通信制御装置１０３〜１０４間において、データ（Ｄａｔａ）トラフィック（Ａ４、Ｂ４）は、要求帯域である２８Ｍｂｐｓを満たすことができず、残りの２４Ｍｐｓ（＝１０８−２×（２＋２０＋２０））の帯域を分けて使用することになる。すなわち、図７Ｂに示すように通信制御装置１０２〜１０５のデータ（Ｄａｔａ）トラフィックは１２Ｍｂｐｓとなり、通信制御装置１０２〜１０６のデータ（Ｄａｔａ）トラフィックは１２Ｍｂｐｓとなる（Ｓ２０２）。
【００３７】
次に経路制御装置１０１は、帯域制御によって生じる空き帯域の割り当てができるかを調査する（Ｓ２０２）。スループットに合わせて上述の帯域制御を行った場合、無線リンク１０２〜１０３間において空き帯域が生じる。しかしながら、その空き帯域を使用できる劣化トラフィックは存在しない。そのため、経路制御装置１０１は、ここでは何も行わない（Ｓ２０３）。
【００３８】
経路制御装置１０１は、各トラフィックが最低帯域を満たしているかを判定し、満たしていないものがある場合には他のトラフィックからの融通を検討する（Ｓ２０４）。ここでは、全てのトラフィックが最低帯域を満たしているため、融通は行わない。
【００３９】
経路制御装置１０１は、以上の処理により、通信装置１０２に対してＡ４及びＢ４（データ（Ｄａｔａ）トラフィック）の帯域を１２Ｍｂｐｓに絞る帯域制御を通知する（Ｓ２０５）。
【００４０】
次に、通信装置１０４と通信装置１０５の間の無線リンクにおいてリンク劣化が生じ、変調方式がＱＰＳＫ（４０Ｍｂｐｓ）となった場合について検討する。図８Ａは、当該リンク劣化後の通信状態を示すシステム概念図である。図８Ｂは、当該リンク劣化が生じた場合の各トラフィックの帯域設定を示す図である。経路制御装置１０１は、変調方式の変更を受信する。この場合、図中のＡ１〜Ａ４のトラフィックでは、通信装置１０４と通信装置１０５の間の無線リンクが通信上のボトルネックとなる。
【００４１】
経路制御装置１０１は、伝送レートの低下に応じて、トラフィックテーブル２０４（図３）を参照して各トラフィックのスループットを算出する。経路制御装置１０１は、トラフィックテーブル２０４（図３）を参照して優先度の順位で４０Ｍｐｂｓを順番に割り当てる。これにより、Ａ１（Ｓｉｇｎａｌｉｎｇ）及びＡ２（Ｖｏｉｃｅ）のスループットは要求帯域を維持できるが、Ａ３（Ｖｉｄｅｏ）のスループットは要求帯域以下の１８Ｍｂｐｓとなり、Ａ４（Ｄａｔａ）は０Ｍｐｂｓとなる（Ｓ２０１）。
【００４２】
経路制御装置１０１は、Ｓ２０１で算出した予想スループットを基に通信装置１０２〜１０５間の帯域制御を行った場合の各無線リンクのトラフィックを計算する。この場合、通信装置１０３と１０４の間の無線リンクに関するトラフィック量の合計が９４Ｍｂｐｓ（＝２＋２０＋１８＋０＋２＋２０＋２０＋１２）となる。経路制御装置１０１は、通信装置１０３と１０４の間の無線リンクの合計帯域は１０８Ｍｂｐｓであるため、１４Ｍｂｐｓの空き帯域が生じると判定する（Ｓ２０２）。
【００４３】
経路制御装置１０１は、この空き帯域を通信装置１０２〜通信装置１０６間の各トラフィック（Ｂ１〜Ｂ４）に割り当てることにより、スループットの向上が可能であるかを判定する。なお、通信装置１０２〜通信装置１０６間において、通信装置１０３と通信装置１０４との間の無線リンクの帯域は１０８Ｍｂｐｓであり、その他の無線リンクの帯域は１８０Ｍｂｐｓである。
【００４４】
経路制御装置１０１は、Ｂ４（Ｄａｔａ）に、通信装置１０３と通信装置１０４との間の無線リンク、及び通信装置１０２と通信装置１０３との間の無線リンク、の空き帯域のうち１４Ｍｐｂｓを追加して割り当てることを決定する。これによりＢ４（Ｄａｔａ）の帯域を１２Ｍｂｐｓから２６Ｍｂｐｓまで増加させることができる（Ｓ２０３）。
【００４５】
通信装置１０２と通信装置１０３との間の無線リンクのその他の空き帯域については、帯域を必要とするトラフィックがないため、経路制御装置１０１は何も行わない。
【００４６】
次に経路制御装置１０１は、最低帯域を満足できないトラフィックに対する帯域融通を検討する。ここでは、Ａ４（Ｄａｔａ）の帯域が０Ｍｂｐｓであるため、最低帯域（２Ｍｂｐｓ）を満足できない。経路制御装置１０１は、通信装置１０２〜通信装置１０６間の他のトラフィックにおいて優先度の低い順序で融通可能な帯域があるかを判定する。この場合、Ａ３（Ｖｉｄｅｏ）の帯域（１８Ｍｂｐｓ）が最低帯域（１４Ｍｂｐｓ）よりも大きい。すなわち、４Ｍｂｐｓ融通可能である。そこで、経路制御装置１０１は、Ａ３（Ｖｉｄｅｏ）の帯域の内、２ＭｂｐｓをＡ４（Ｄａｔａ）に融通することを決定する（Ｓ２０４）。なお経路制御装置１０１は、融通を行う際に最低帯域を満たすトラフィックの内で優先度の低いトラフィックから順に融通元とすることにより、優先度の高いトラフィックに影響を与えずに劣化トラフィックの救済を行うことができる。
【００４７】
以上の処理を踏まえて、経路制御装置１０１は、図８Ｂに示す各帯域設定を通信装置１０２に対して行う（Ｓ２０５）。
【００４８】
続いて本実施の形態にかかる無線システムの効果について説明する。適応変調による伝送レートの変化は、リンク障害とは異なり、伝送レートの低下後にもある程度の帯域が残る。経路制御装置１０１は、この性質に着目した調整を行う。すなわち、上述のように経路制御装置１０１は、伝送レートの変化時に各トラフィックのエンドツーエンドの予想スループットを算出し、この予想スループットのうち最低帯域を満たさないトラフィックや空き帯域を基に各トラフィックの帯域調整を行う。これにより、伝送レートの変化時に即座に帯域設定を行うことができるとともに、各トラフィックに対して適切な帯域を割り当てることができる。
【００４９】
たとえば、経路制御装置１０１は、予想スループットに従った帯域設定を行った場合の空き帯域を要求帯域に満たないトラフィックに対して割り当てる。これにより、経路制御装置１０１は、無駄となる帯域を減少させるとともに、各トラフィックの通信品質を向上させることができる。
【００５０】
さらに、経路制御装置１０１は、予想スループットに従った帯域設定を行った場合に最低帯域に満たないトラフィックに対し、当該トラフィックよりも優先度が高いトラフィックから帯域を融通する。これにより、経路制御装置１０１は、最低帯域に満たないトラフィックをなくすことができ、通信不能となるトラフィックをなくすことができる。この際に経路制御装置１０１は、融通可能な帯域を持つトラフィックの中で最も優先度が低いトラフィックを融通元とすることにより、優先度の高いトラフィックの品質を劣化させることを回避できる。
【００５１】
なお、本発明は上記実施の形態に限られたものではなく、趣旨を逸脱しない範囲で適宜変更することが可能である。たとえば、上述の説明では経路制御装置１０１が各トラフィックの帯域設定を算出したが、無線システム内に経路制御装置１０１がなく、各通信装置が上述の処理（図５の処理）を実行するように構成されていてもよい。すなわち、通信装置は、一般的な通信機能（適応変調機能を含む）を有するとともに、帯域調整機能（図５）の機能を有していてもよい。
【００５２】
また上述調整部２０２は、空き帯域の割り当て及び帯域融通の双方の処理を行うことが好ましいものの、いずれか一方のみを実施した場合であっても上述の技術に比べて効率的な帯域制御を行うことができる。
【００５３】
経路制御装置１０１内の各処理部（スループット算出部２０１、調整部２０２、帯域設定送信部２０３）の処理は、任意のコンピュータ内で動作するプログラムとして実現してもよい。プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【００５４】
本発明は、例えば、携帯電話網でのモバイルバックホールネットワークにおいて利用することができる。【００５５】
この出願は、２０１２年１０月３０日に出願された日本出願特願２０１２−２３８５８４を基礎とする優先権を主張し、その開示の全てをここに取り込む。
【符号の説明】
【００５６】
１０１  経路制御装置
１０２〜１０６  通信装置
２０１  スループット算出部
２０２  調整部
２０３  帯域設定送信部
２０４  トラフィックテーブル
【図１】
2014068812.tif 000003
【図２】
2014068812.tif 000004
【図３】
2014068812.tif 000005
【図４】
2014068812.tif 000006
【図５】
2014068812.tif 000007
【図６Ａ】
2014068812.tif 000008
【図６Ｂ】
2014068812.tif 000009
【図７Ａ】
2014068812.tif 000010
【図７Ｂ】
2014068812.tif 000011
【図８Ａ】
2014068812.tif 000012
【図８Ｂ】
2014068812.tif 000013
【手続補正書】
【提出日】平成27年4月14日(2015.4.14)
【手続補正２】
【補正対象書類名】特許請求の範囲
【補正対象項目名】請求項８
【補正方法】変更
【補正の内容】
【請求項８】
コンピュータに適応変調機能を有する通信装置間における各トラフィックの帯域を算出させるプログラムであって、
コンピュータに、
伝送レートの変化の情報を受け付け、当該情報と、各トラフィックの優先度及び帯域指標を含むテーブルと、に基づき、各トラフィックのエンドツーエンドの予想スループットを算出するスループット算出ステップと、
前記予想スループットを基に帯域設定を行った場合の各トラフィックの不足帯域及び／又は各通信機器間を接続する無線リンクの空き帯域を算出し、前記不足帯域及び／又は前記空き帯域と、前記テーブルと、に基づいて各トラフィックに対する帯域分配を決定する調整ステップと、
を実行させるプログラム。
【国際調査報告】
2014068812.tif 000014
2014068812.tif 000015